(57)【要約】【課題】複数の玄関子機をドアホン親機で収容接続するドアホンシステムの場合には、夫々の玄関子機からのドアホン呼出を別々の宅外電話機に転送することができない。【解決手段】呼出ボタン１１を有する複数の玄関子機２と、玄関子機を収容接続するドアホン親機３と、ドアホン親機と通信接続すると共に、電話回線４に接続する電話親機５とを有するドアホンシステム１であって、電話親機は、ドアホン番号に対応した転送先番号を予め記憶した転送先管理テーブル６０を有し、ドアホン親機は、玄関子機のドアホン呼出を検出すると、ドアホン番号を付加したドアホン呼出を電話親機に通知し、電話親機は、ドアホン呼出のドアホン番号に対応した転送先番号を読み出し、この転送先番号に基づき、玄関子機のドアホン呼出を同転送先番号の宅外電話機６に転送するようにした。【選択図】図１
2007158921.tif 000002
【特許請求の範囲】
【請求項１】
呼出ボタンを有する複数の玄関子機と、前記複数の玄関子機を収容接続するドアホン親機と、前記ドアホン親機と通信接続すると共に、電話回線に接続する電話親機とを有する電話機能付きドアホンシステムであって、
前記ドアホン親機は、
前記玄関子機の呼出ボタンのボタン操作に応じて玄関子機毎の着信を検知する着信検知手段と、
前記電話親機と通信接続するドアホン通信手段とを有し、
前記電話親機は、
前記ドアホン親機と通信接続する電話通信手段と、
前記玄関子機毎に転送先番号を予め記憶した転送先番号記憶手段と、
前記電話回線を通じて前記転送先番号記憶手段に記憶中の転送先番号に基づき転送発信する電話転送手段とを有し、
前記ドアホン親機は、
前記着信検知手段にて前記玄関子機の着信を検知すると、前記ドアホン通信手段を通じて前記玄関子機の着信検知を示すドアホン呼出情報を前記電話親機に伝送し、
前記電話親機は、
前記電話通信手段を通じて前記ドアホン親機から前記ドアホン呼出情報を受信すると、このドアホン呼出情報に関わる前記玄関子機に対応した前記転送先番号を前記転送先番号記憶手段から読み出し、この転送先番号に基づき、前記電話転送手段にて前記玄関子機の着信を転送することを特徴とする電話機能付きドアホンシステム。
【請求項２】
呼出ボタンを有する複数の玄関子機と、前記複数の玄関子機を収容接続するドアホン親機と、前記ドアホン親機と通信接続すると共に、電話回線に接続する複数の電話親機とを有する電話機能付きドアホンシステムであって、
前記ドアホン親機は、
前記玄関子機の呼出ボタンのボタン操作に応じて玄関子機毎の着信を検知する着信検知手段と、
前記玄関子機毎に対応付けた前記電話親機を予め記憶した電話親機記憶手段と、
前記電話親機と通信接続するドアホン通信手段とを有し、
前記電話親機は、
前記ドアホン親機と通信接続する電話通信手段と、
前記玄関子機毎に転送先番号を予め記憶した転送先番号記憶手段と、
前記電話回線を通じて前記転送先番号記憶手段に記憶中の転送先番号に基づき転送発信する電話転送手段とを有し、
前記ドアホン親機は、
前記着信検知手段にて前記玄関子機の呼出ボタンのボタン操作に応じて同玄関子機の着信を検知すると、この玄関子機に対応する電話親機を前記電話親機記憶手段から読み出し、この読み出した電話親機に対して前記ドアホン通信手段を通じて呼出信号を出力し、
前記電話親機は、
前記電話通信手段を通じて前記呼出信号を受信すると、前記転送先番号記憶手段に記憶中の転送先番号に基づき、前記電話転送手段にて前記玄関子機の着信を転送することを特徴とする電話機能付きドアホンシステム。
【請求項３】
前記電話親機は、
前記電話回線からの着信を検出する電話着信検出手段と、
暗証番号を予め記憶した暗証番号記憶手段と、
前記電話着信検出手段にて前記電話回線からの着信を検出すると、同着信に関わる発信者番号を検出する発信者番号検出手段と、
前記電話回線を通じて暗証入力番号及び転送先指示信号をＰＢ信号で検出するＰＢ信号検出手段と、
前記発信者番号検出手段にて前記発信者番号を検出した後、前記ＰＢ信号検出手段にて前記暗証入力番号及び前記転送先指示信号を検出すると、前記暗証入力番号が前記暗証番号記憶手段に記憶中の暗証番号と合致した場合にのみ、前記発信者番号記憶手段に記憶中の前記発信者番号を前記転送先指示信号に対応した前記玄関子機の前記転送先番号として前記転送先番号記憶手段に記憶する電話制御手段とを有することを特徴とする請求項１又は２記載の電話機能付きドアホンシステム。
【請求項４】
呼出ボタンを有する複数の玄関子機と、前記複数の玄関子機を収容接続するドアホン親機と、前記ドアホン親機と通信接続すると共に、電話回線に接続する電話親機とを有する電話機能付きドアホンシステムであって、
前記ドアホン親機は、
前記玄関子機の呼出ボタンのボタン操作に応じて玄関子機毎の着信を検知する着信検知手段と、
前記玄関子機毎に転送先番号を予め記憶した転送先番号記憶手段と、
前記電話親機と通信接続するドアホン通信手段とを有し、
前記電話親機は、
前記ドアホン親機と通信接続する電話通信手段と、
前記電話回線を通じて前記玄関子機の着信を転送発信する電話転送手段とを有し、
前記ドアホン親機は、
前記着信検知手段にて前記玄関子機の着信を検知すると、この玄関子機に対応する転送先番号を前記転送先番号記憶手段から読み出し、この玄関子機の着信検知を示すドアホン呼出情報及び転送先番号を前記ドアホン通信手段を通じて前記電話親機に伝送し、
前記電話親機は、
前記電話通信手段を通じて前記ドアホン親機から前記ドアホン呼出情報及び転送先番号を受信すると、前記電話転送手段にて前記転送先番号に基づき、前記ドアホン呼出情報の前記玄関子機の着信を転送することを特徴とする電話機能付きドアホンシステム。
【請求項５】
前記ドアホン親機は、
現在時刻を計時する計時手段を有し、
前記転送先番号記憶手段は、
時間帯毎に前記転送先番号を予め記憶した時間帯別記憶手段を有し、
前記ドアホン親機は、
前記着信検知手段にて前記玄関子機の着信を検知すると、前記計時手段にて計時した現在時刻の時間帯に対応した転送先番号を前記時間帯別記憶手段から読み出し、この読み出した転送先番号及び前記ドアホン呼出情報を前記電話親機に伝送することを特徴とする請求項４記載の電話機能付きドアホンシステム。
【発明の詳細な説明】
【技術分野】
【０００１】
本発明は、呼出ボタンを有する玄関子機と、この玄関子機を収容接続するドアホン親機と、このドアホン親機と通信接続すると共に、電話回線に接続する電話親機とを有する電話機能付きドアホンシステムに関する。
【背景技術】
【０００２】
従来、このような電話機能付きドアホンシステムとしては、複数の呼出ボタンを有する集合玄関子機と、この集合玄関子機を収容接続すると共に、電話回線に接続するドアホン親機とを有し、前記ドアホン親機は、呼出ボタン毎に転送先番号を予め記憶した転送先番号記憶部と、前記集合玄関子機からの呼出を検出すると、同呼出に関わる呼出ボタンに対応した外部端末の転送先番号を転送先番号記憶部から読み出し、この転送先番号に基づき、前記集合玄関子機からの呼出着信を外部端末に転送する着信転送部とを有するようにしたものがある(例えば特許文献１参照)。
【０００３】
この特許文献１によれば、集合玄関子機からの呼出を検出すると、同呼出に関わる呼出ボタンに対応した外部端末の転送先番号を転送先番号記憶部から読み出し、この転送先番号に基づき、前記集合玄関子機からの呼出着信を外部端末に転送するようにしたので、ドアホン親機のユーザは、外出中であっても、外部端末を使用して来訪者と通話することができる。
【特許文献１】特開２００４−１１２０４３号公報（要約書及び図１参照）
【発明の開示】
【発明が解決しようとする課題】
【０００４】
しかしながら、上記従来の電話機能付きドアホンシステムによれば、集合玄関子機の呼出ボタン毎に外部端末の転送先番号を予め記憶しておき、集合玄関子機から呼出を検出すると、同呼出に関わる呼出ボタンに対応した外部端末の転送先番号を読み出し、この転送先番号に基づき、前記集合玄関子機からの呼出着信を前記外部端末に転送するようにしたが、あくまでも１台の集合玄関子機をドアホン親機で収容接続したドアホンシステムに過ぎず、例えば玄関口が夫々異なる二世帯住宅の場合、玄関子機を複数配置する必要があるが、このような複数の玄関子機をドアホン親機で収容接続するドアホンシステムには対応してないのが実情である。
【０００５】
また、上記従来の電話機能付きドアホンシステムによれば、ドアホン親機に電話機能を内蔵することになるため、例えば二世帯住宅で別々の電話機を使用する場合には対応し得ないというのが実情である。
【０００６】
本発明は上記点に鑑みてなされたものであり、その目的とするところは、複数の玄関子機をドアホン親機で収容接続するドアホンシステムに対応し、玄関子機の呼出着信を検出すると、同玄関子機の着信を転送先に自動転送することができる電話機能付きドアホンシステムを提供することにある。
【０００７】
また、本発明の他の目的とするところは、ドアホン親機と電話機とを別々に構成し、ドアホン親機及び電話機間の通信で、別々の電話機を使用する二世帯住宅等にも柔軟に対応することができる電話機能付きドアホンシステムを提供することにある。
【課題を解決するための手段】
【０００８】
上記目的を達成するために本発明の電話機能付きドアホンシステムは、呼出ボタンを有する複数の玄関子機と、前記複数の玄関子機を収容接続するドアホン親機と、前記ドアホン親機と通信接続すると共に、電話回線に接続する電話親機とを有する電話機能付きドアホンシステムであって、前記ドアホン親機は、前記玄関子機の呼出ボタンのボタン操作に応じて玄関子機毎の着信を検知する着信検知手段と、前記電話親機と通信接続するドアホン通信手段とを有し、前記電話親機は、前記ドアホン親機と通信接続する電話通信手段と、前記玄関子機毎に転送先番号を予め記憶した転送先番号記憶手段と、前記電話回線を通じて前記転送先番号記憶手段に記憶中の転送先番号に基づき転送発信する電話転送手段とを有し、前記ドアホン親機は、前記着信検知手段にて前記玄関子機の着信を検知すると、前記ドアホン通信手段を通じて前記玄関子機の着信検知を示すドアホン呼出情報を前記電話親機に伝送し、前記電話親機は、前記電話通信手段を通じて前記ドアホン親機から前記ドアホン呼出情報を受信すると、このドアホン呼出情報に関わる前記玄関子機に対応した前記転送先番号を前記転送先番号記憶手段から読み出し、この転送先番号に基づき、前記電話転送手段にて前記玄関子機の着信を転送するようにした。
【０００９】
また、上記他の目的を達成するために本発明の電話機能付きドアホンシステムは、呼出ボタンを有する複数の玄関子機と、前記複数の玄関子機を収容接続するドアホン親機と、前記ドアホン親機と通信接続すると共に、電話回線に接続する複数の電話親機とを有する電話機能付きドアホンシステムであって、前記ドアホン親機は、前記玄関子機の呼出ボタンのボタン操作に応じて玄関子機毎の着信を検知する着信検知手段と、前記玄関子機毎に対応付けた前記電話親機を予め記憶した電話親機記憶手段と、前記電話親機と通信接続するドアホン通信手段とを有し、前記電話親機は、前記ドアホン親機と通信接続する電話通信手段と、前記玄関子機毎に転送先番号を予め記憶した転送先番号記憶手段と、前記電話回線を通じて前記転送先番号記憶手段に記憶中の転送先番号に基づき転送発信する電話転送手段とを有し、前記ドアホン親機は、前記着信検知手段にて前記玄関子機の呼出ボタンのボタン操作に応じて同玄関子機の着信を検知すると、この玄関子機に対応する電話親機を前記電話親機記憶手段から読み出し、この読み出した電話親機に対して前記ドアホン通信手段を通じて呼出信号を出力し、前記電話親機は、前記電話通信手段を通じて前記呼出信号を受信すると、前記転送先番号記憶手段に記憶中の転送先番号に基づき、前記電話転送手段にて前記玄関子機の着信を転送するようにした。
【発明の効果】
【００１０】
上記のように構成された本発明の電話機能付きドアホンシステムによれば、複数の玄関子機を収容接続するドアホン親機と通信接続する電話親機内に、玄関子機毎の転送先番号を予め記憶しておき、前記ドアホン親機側で玄関子機の着信を検知すると、この玄関子機の着信通知を示すドアホン呼出情報を前記電話親機に伝送し、この電話親機では、同ドアホン呼出情報を受信すると、このドアホン呼出情報に関わる前記玄関子機に対応した前記転送先番号を読み出し、この転送先番号に基づき、前記玄関子機の着信を同転送先番号の宅外電話機に転送するようにしたので、例えば玄関口が夫々異なる二世帯住宅での複数の玄関子機を収容接続するドアホン親機を備えたドアホンシステムであっても、ドアホン親機のユーザは、宅外電話機を使用して、例えば外出先からでも玄関子機側の来訪者に応対することができる。
【００１１】
また、本発明の電話機能付きドアホンシステムによれば、ドアホン親機に対して複数の電話親機を通信接続するシステム構成にしたので、電話親機を別々に備える必要のある、例えば二世帯住宅等のドアホンシステムに対しても柔軟に対応することができる。
【発明を実施するための最良の形態】
【００１２】
本願請求項１記載の電話機能付きドアホンシステムは、呼出ボタンを有する複数の玄関子機と、前記複数の玄関子機を収容接続するドアホン親機と、前記ドアホン親機と通信接続すると共に、電話回線に接続する電話親機とを有する電話機能付きドアホンシステムであって、前記ドアホン親機は、前記玄関子機の呼出ボタンのボタン操作に応じて玄関子機毎の着信を検知する着信検知手段と、前記電話親機と通信接続するドアホン通信手段とを有し、前記電話親機は、前記ドアホン親機と通信接続する電話通信手段と、前記玄関子機毎に転送先番号を予め記憶した転送先番号記憶手段と、前記電話回線を通じて前記転送先番号記憶手段に記憶中の転送先番号に基づき転送発信する電話転送手段とを有し、前記ドアホン親機は、前記着信検知手段にて前記玄関子機の着信を検知すると、前記ドアホン通信手段を通じて前記玄関子機の着信検知を示すドアホン呼出情報を前記電話親機に伝送し、前記電話親機は、前記電話通信手段を通じて前記ドアホン親機から前記ドアホン呼出情報を受信すると、このドアホン呼出情報に関わる前記玄関子機に対応した前記転送先番号を前記転送先番号記憶手段から読み出し、この転送先番号に基づき、前記電話転送手段にて前記玄関子機の着信を転送するようにした。
【００１３】
従って、本願請求項１記載の電話機能付きドアホンシステムによれば、複数の玄関子機を収容接続するドアホン親機と通信接続する電話親機内に、玄関子機毎の転送先番号を予め記憶しておき、前記ドアホン親機側で玄関子機の着信を検知すると、この玄関子機の着信通知を示すドアホン呼出情報を前記電話親機に伝送し、この電話親機では、同ドアホン呼出情報を受信すると、このドアホン呼出情報に関わる前記玄関子機に対応した前記転送先番号を読み出し、この転送先番号に基づき、前記玄関子機の着信を同転送先番号の宅外電話機に転送するようにしたので、例えば玄関口が夫々異なる二世帯住宅での複数の玄関子機を収容接続するドアホン親機を備えたドアホンシステムであっても、ドアホン親機のユーザは、宅外電話機を使用して、例えば外出先からでも玄関子機側の来訪者に応対することができる。
【００１４】
本願請求項２記載の電話機能付きドアホンシステムは、呼出ボタンを有する複数の玄関子機と、前記複数の玄関子機を収容接続するドアホン親機と、前記ドアホン親機と通信接続すると共に、電話回線に接続する複数の電話親機とを有する電話機能付きドアホンシステムであって、前記ドアホン親機は、前記玄関子機の呼出ボタンのボタン操作に応じて玄関子機毎の着信を検知する着信検知手段と、前記玄関子機毎に対応付けた前記電話親機を予め記憶した電話親機記憶手段と、前記電話親機と通信接続するドアホン通信手段とを有し、前記電話親機は、前記ドアホン親機と通信接続する電話通信手段と、前記玄関子機毎に転送先番号を予め記憶した転送先番号記憶手段と、前記電話回線を通じて前記転送先番号記憶手段に記憶中の転送先番号に基づき転送発信する電話転送手段とを有し、前記ドアホン親機は、前記着信検知手段にて前記玄関子機の呼出ボタンのボタン操作に応じて同玄関子機の着信を検知すると、この玄関子機に対応する電話親機を前記電話親機記憶手段から読み出し、この読み出した電話親機に対して前記ドアホン通信手段を通じて呼出信号を出力し、前記電話親機は、前記電話通信手段を通じて前記呼出信号を受信すると、前記転送先番号記憶手段に記憶中の転送先番号に基づき、前記電話転送手段にて前記玄関子機の着信を転送するようにした。
【００１５】
従って、本願請求項２記載の電話機能付きドアホンシステムによれば、複数の玄関子機を収容接続するドアホン親機に対して複数の電話親機を通信接続するシステムに対応し、前記ドアホン親機側に、前記玄関子機毎の電話親機を予め記憶しておき、さらに前記電話親機側に、転送先番号を予め記憶しておき、前記ドアホン親機は、前記玄関子機の着信を検知すると、この玄関子機に対応する電話親機を読み出し、この読み出した電話親機に呼出信号を出力すると共に、前記電話親機は、前記ドアホン親機から呼出信号を受信すると、転送先番号を読み出し、この読み出した転送先番号に基づき、この玄関子機の着信を同転送先番号の宅外電話機に転送するようにしたので、例えば玄関口が夫々異なる二世帯住宅での複数の玄関子機を収容接続するドアホン親機に対して複数の電話親機を通信接続するシステムであっても、ドアホン親機のユーザは、宅外電話機を使用して、例えば外出先からでも玄関子機側の来訪者に応対することができる。
【００１６】
さらに、本願請求項２記載の電話機能付きドアホンシステムによれば、ドアホン親機に対して複数の電話親機を通信接続するシステム構成にしたので、電話親機を別々に備える必要のある、例えば二世帯住宅等のドアホンシステムに対しても柔軟に対応することができる。
【００１７】
本願請求項３記載の電話機能付きドアホンシステムは、本願請求項１又は２記載の構成において、前記電話親機は、前記電話回線からの着信を検出する電話着信検出手段と、暗証番号を予め記憶した暗証番号記憶手段と、前記電話着信検出手段にて前記電話回線からの着信を検出すると、同着信に関わる発信者番号を検出する発信者番号検出手段と、前記電話回線を通じて暗証入力番号及び転送先指示信号をＰＢ信号で検出するＰＢ信号検出手段と、前記発信者番号検出手段にて前記発信者番号を検出した後、前記ＰＢ信号検出手段にて前記暗証入力番号及び前記転送先指示信号を検出すると、前記暗証入力番号が前記暗証番号記憶手段に記憶中の暗証番号と合致した場合にのみ、前記発信者番号記憶手段に記憶中の前記発信者番号を前記転送先指示信号に対応した前記玄関子機の前記転送先番号として前記転送先番号記憶手段に記憶する電話制御手段とを有するようにした。
【００１８】
従って、本願請求項３記載の電話機能付きドアホンシステムによれば、本願請求項１又は２記載の効果に加えて、前記電話親機は、前記電話回線から外線着信を検出すると、この外線着信の発信者番号を検出した後、前記電話回線から暗証入力番号及び転送先指示信号を検出すると、前記暗証入力番号が記憶中の暗証番号と合致した場合にのみ、前記発信者番号記憶手段に記憶中の前記発信者番号を前記転送先指示信号に対応した前記玄関子機の前記転送先番号として前記転送先番号記憶手段に記憶するようにしたので、ドアホン親機のユーザは、例えば外出先からでも現在所有の電話機を使用して同電話機の電話番号を転送先番号として簡単に登録することができる。
【００１９】
本願請求項４記載の電話機能付きドアホンシステムは、呼出ボタンを有する複数の玄関子機と、前記複数の玄関子機を収容接続するドアホン親機と、前記ドアホン親機と通信接続すると共に、電話回線に接続する電話親機とを有する電話機能付きドアホンシステムであって、前記ドアホン親機は、前記玄関子機の呼出ボタンのボタン操作に応じて玄関子機毎の着信を検知する着信検知手段と、前記玄関子機毎に転送先番号を予め記憶した転送先番号記憶手段と、前記電話親機と通信接続するドアホン通信手段とを有し、前記電話親機は、前記ドアホン親機と通信接続する電話通信手段と、前記電話回線を通じて前記玄関子機の着信を転送発信する電話転送手段とを有し、前記ドアホン親機は、前記着信検知手段にて前記玄関子機の着信を検知すると、この玄関子機に対応する転送先番号を前記転送先番号記憶手段から読み出し、この玄関子機の着信検知を示すドアホン呼出情報及び転送先番号を前記ドアホン通信手段を通じて前記電話親機に伝送し、前記電話親機は、前記電話通信手段を通じて前記ドアホン親機から前記ドアホン呼出情報及び転送先番号を受信すると、前記電話転送手段にて前記転送先番号に基づき、前記ドアホン呼出情報の前記玄関子機の着信を転送するようにした。
【００２０】
従って、本願請求項４記載の電話機能付きドアホンシステムによれば、複数の玄関子機を収容接続するドアホン親機に対して電話親機を通信接続するシステムに対応し、前記ドアホン親機内に、玄関子機毎の転送先番号を予め記憶しておき、前記玄関子機から着信を検知すると、この玄関子機に対応する転送先番号を読み出し、この転送先番号及び同玄関子機の着信通知を示すドアホン呼出情報を前記電話親機に伝送し、前記電話親機は、前記ドアホン呼出情報及び転送先番号を受信すると、この転送先番号に基づき、前記ドアホン呼出情報の前記玄関子機の着信を同転送先番号の宅外電話機に転送するようにしたので、例えば玄関口が夫々異なる二世帯住宅での複数の玄関子機を収容接続するドアホン親機に対して電話親機を通信接続するシステムであっても、前記ドアホン親機のユーザは、宅外電話機を使用して、例えば外出先からでも玄関子機側の来訪者に応対することができる。
【００２１】
本願請求項５記載の電話機能付きドアホンシステムは、本願請求項４記載の構成に加えて、前記ドアホン親機は、現在時刻を計時する計時手段を有し、前記転送先番号記憶手段は、時間帯毎に前記転送先番号を予め記憶した時間帯別記憶手段を有し、前記ドアホン親機は、前記着信検知手段にて前記玄関子機の着信を検知すると、前記計時手段にて計時した現在時刻の時間帯に対応した転送先番号を前記時間帯別記憶手段から読み出し、この読み出した転送先番号及び前記ドアホン呼出情報を前記電話親機に伝送するようにした。
【００２２】
従って、本願請求項５記載の電話機能付きドアホンシステムによれば、本願請求項４記載の効果に加えて、前記ドアホン親機は、時間帯毎に転送先番号を予め記憶しておき、前記玄関子機からの着信を検知すると、現在時刻の時間帯に対応した転送先番号を読み出し、この読み出した転送先番号及びドアホン呼出情報を前記電話親機に伝送するようにしたので、玄関子機側の来訪者の来訪時刻に応じて転送先を変えることができる。
【００２３】
以下、図面に基づいて本発明の実施の形態を示す電話機能付きドアホンシステムについて説明する。
【００２４】
(実施の形態１)
図１は第１の実施の形態を示す電話機能付きドアホンシステム内部の概略構成を示すブロック図である。
【００２５】
図１に示す電話機能付きドアホンシステム（以下、単にドアホンシステムと称する）１は、宅外の玄関口毎に配置された玄関子機２と、宅内に配置され、これら複数の玄関子機２を収容接続するドアホン親機３と、このドアホン親機３に無線接続すると共に、電話回線４と通信接続する電話親機５とを有している。
【００２６】
玄関子機２は、訪問者側で来訪をドアホン親機３に報知するための呼出ボタン１１と、訪問者を撮像して映像信号を出力するカメラ部１２と、訪問者側の通話に使用する子機側スピーカ１３及び子機側マイク１４と、ドアホン親機３との通信インタフェースを司る子機通信インタフェース１５と、玄関子機２全体を制御する子機側制御部１６とを有している。
【００２７】
ドアホン親機３は、ドアホン側アンテナ２１を通じて電話親機５との無線通信インタフェースを司るドアホン側無線通信インタフェース２２と、各玄関子機２との通信インタフェースを司る親機通信インタフェース２３と、この親機通信インタフェース２３を通じて玄関子機２からの呼出着信を検知する子機着信検知部２４と、子機着信検知部２４にて検知した玄関子機２の呼出着信に応答する応答ボタン２５と、宅内ユーザの通話に使用する親機側スピーカ２６及び親機側マイク２７と、様々なタイマ計時動作を司るドアホン側タイマ２８と、例えば玄関子機２のカメラ部１２にて撮像した映像信号をモニタ表示する表示部２９と、様々な情報を記憶するドアホン側メモリ３０と、このドアホン親機３全体を制御する親機側制御部３１とを有している。
【００２８】
ドアホン側メモリ３０は、例えば玄関子機２毎に識別するドアホン番号（１）〜（ｎ）を記憶管理している。
【００２９】
親機側制御部３１は、親機通信インタフェース２３を通じて子機着信検知部２４にて玄関子機２のドアホン呼出（着信）を検知すると、同玄関子機２のドアホン番号を認識し、この認識したドアホン番号を付加したドアホン呼出を、ドアホン側無線通信インタフェース２２を通じて電話親機５に通知するものである。
【００３０】
図２は電話親機５内部の概略構成を示すブロック図である。
【００３１】
図２に示す電話親機５は、電話回線４と通信接続する電話回線インタフェース４１と、無線アンテナ４２を通じてドアホン親機３との無線通信インタフェースを司る無線通信インタフェース４３と、電話親機ユーザの通話に使用するマイク４４及びスピーカ４５と、様々なタイマ計時動作を司る電話機側タイマ４６と、様々な情報を表示する表示部４７と、例えばダイヤル番号等の様々な情報を入力するボタン４８と、様々な情報を記憶する電話機側メモリ４９と、この電話親機５全体を制御する電話機側制御部５０とを有している。
【００３２】
電話回線インタフェース４１は、電話回線４を通じて外線着信を検出する着信検出部４１Ａと、電話回線４を通じてＰＢ信号を監視するＰＢ信号検出部４１Ｂと、電話回線４を通じて外線着信の発信者番号を検出する発信者番号検出部４１Ｃと、電話回線４を通じて相手先への呼出動作を制御する呼出制御部４１Ｄと、電話回線４を通じて相手先への呼出動作に対応する相手先の応答動作を監視制御する応答制御部４１Ｅとを有している。
【００３３】
電話機側メモリ４９は、玄関子機２を識別するドアホン番号及び、同ドアホン番号に対応した転送先番号を管理する転送先管理テーブル６０と、発信者番号検出部４１Ｃにて検出した発信者番号を一時記憶する発信者番号メモリ４９Ａと、電話回線５を通じて転送先管理テーブル６０内の転送先番号を変更する際のリモコン認証に使用する暗証番号を記憶した暗証番号メモリ４９Ｂと、暗証番号のエラー回数を記憶する暗証番号エラー回数メモリ４９Ｃと、転送先番号を変更登録する際に暗証番号や転送先番号に対応したＰＢ信号を、ＰＢ信号検出部４１Ｂを通じて一時記憶するＰＢ信号入力バッファ４９Ｄと、電話親機５の現在のリモコン状態を記憶する現在リモコン状態メモリ４９Ｅとを有している。
【００３４】
尚、現在のリモコン状態とは、電話回線４を通じて転送先管理テーブル６０のテーブル内容を変更登録する際の使用状態に相当し、例えば転送先管理テーブル６０のアクセス許可を認証する“リモコン認証”や、“リモコン認証”後に転送先番号を変更登録する際の“転送先設定”等に相当するものである。
【００３５】
図３は電話機側メモリ４９に記憶中の転送先管理テーブル６０のテーブル内容を端的に示す説明図である。
【００３６】
図３に示す転送先管理テーブル６０は、玄関子機２を識別するドアホン番号（１）〜（ｎ）と、このドアホン番号に対応した、同玄関子機２のドアホン呼出を転送する転送先の電話番号に相当する転送先番号とを有している。
【００３７】
電話機側制御部５０は、無線通信インタフェース４３を通じてドアホン親機３からドアホン呼出を受信すると、このドアホン呼出のドアホン番号に対応した転送先番号を転送先管理テーブル６０から読み出し、この読み出した転送先番号に基づき、電話回線インタフェース４１内の呼出制御部４１Ｄを通じて同転送先番号の宅外電話機６に呼出動作、すなわち玄関子機２のドアホン呼出の転送動作を実行するものである。
【００３８】
電話機側制御部５０は、電話回線インタフェース４１内の応答制御部４１Ｅを通じて、転送したドアホン呼出に対する転送先番号の宅外電話機６からドアホン呼出に対する応答を検出すると、無線通信インタフェース４３を通じてドアホン親機３にドアホン呼出応答を通知するものである。
【００３９】
電話機側制御部５０は、着信検出部４１Ａにて電話回線４を通じて外線着信を検出すると、発信者番号検出部４１Ｃを通じて同着信外線に対する発信者番号を検出し、この発信者番号を発信者番号メモリ４９Ａに一時記憶すると共に、ＰＢ信号検出部４１Ｂを通じて着信外線から暗証入力番号及び転送先指示信号としてＰＢ信号を検出すると、これらＰＢ信号をＰＢ信号入力バッファ４９Ｄに順次記憶し、ＰＢ信号入力バッファ４９Ｄに記憶中のＰＢ信号から暗証入力番号及び転送先指示信号を判別し、暗証入力番号と暗証番号メモリ４９Ｂに記憶中の暗証番号とを照合して、暗証入力番号が暗証番号に合致すると、発信者番号メモリ４９Ａに記憶中の発信者番号を、転送先管理テーブル６０内の転送先指示信号に相当する玄関子機２のドアホン番号に対応した転送先番号として変更登録するものである。尚、転送先指示信号は、転送先変更対象の玄関子機２を指定するドアホン番号に相当するものである。
【００４０】
尚、請求項記載の着信検知手段は子機着信検知部２４、ドアホン通信手段はドアホン側無線通信インタフェース２２、電話通信手段は無線通信インタフェース４３、転送先番号記憶手段は転送先管理テーブル６０、電話転送手段は電話機側制御部５０及び呼出制御部４１Ｄ、電話着信検出手段は着信検出部４１Ａ、暗証番号記憶手段は暗証番号メモリ４９Ｂ、発信者番号検出手段は発信者番号検出部４１Ｃ、ＰＢ信号検出手段はＰＢ信号検出部４１Ｂ、電話制御手段は電話機側制御部５０に相当するものである。
【００４１】
次に第１の実施の形態を示すドアホンシステム１の動作について説明する。図４は第1の実施の形態に関わるドアホン呼出転送処理に関わるドアホンシステム１の処理動作を示すシーケンス図である。
【００４２】
図４に示すドアホン呼出転送処理とは、ドアホン親機３側で玄関子機２のドアホン呼出を検出すると、この玄関子機２のドアホン番号を付加したドアホン呼出を電話親機５に通知し、この電話親機５側でドアホン番号に対応した転送先番号を読み出し、この読み出した転送先番号に基づき、玄関子機２のドアホン呼出を同転送先番号の宅外電話機６に転送する処理である。
【００４３】
図４に示すドアホン親機３の親機側制御部３１は、子機着信検知部２４を通じて玄関子機２のドアホン呼出を検知すると(ステップＳ１１)、同玄関子機２のドアホン番号を認識し、このドアホン番号を付加したドアホン呼出を電話親機５に通知する(ステップＳ１２)。
【００４４】
電話親機５の電話機側制御部５０は、無線通信インタフェース４３を通じてドアホン呼出を検出すると、このドアホン呼出のドアホン番号に対応した転送先番号を転送先管理テーブル６０から読み出し(ステップＳ１３)、電話回線インタフェース４１内の呼出制御部４１Ｄを通じて、同転送先番号の宅外電話機６に対して呼出動作、すなわち玄関子機２のドアホン呼出の転送動作を実行する(ステップＳ１４)。
【００４５】
宅外電話機６は、電話回線４を通じて電話親機５の呼出動作に対して応答すると(ステップＳ１５)、電話回線４を通じて呼出応答を電話親機５に通知する(ステップＳ１６)。
【００４６】
電話親機５は、応答制御部４１Ｅを通じて宅外電話機６からの呼出応答を検出すると、無線通信インタフェース４３を通じて転送先の宅外電話機６の応答を示すドアホン呼出応答をドアホン親機３に通知する(ステップＳ１７)。
【００４７】
ドアホン親機３は、ドアホン側無線通信インタフェース２２を通じてドアホン呼出応答を検出すると、宅外電話機６に対して応答動作を実行することで(ステップＳ１８)、玄関子機２及び宅外電話機６間の通話を開始することになる(ステップＳ１９)。
【００４８】
宅外電話機６は、玄関子機２との通話中に応答終了操作を検出すると(ステップＳ２０)、電話回線４を通じて応答終了を電話親機５に通知して(ステップＳ２１)、待機状態に戻る(ステップＳ２２)。
【００４９】
さらに電話親機５は、電話回線４を通じて宅外電話機６からの応答終了を検出すると、ドアホン応答終了をドアホン親機３に通知した後(ステップＳ２３)、待機状態に戻る(ステップＳ２４)。
【００５０】
さらにドアホン親機３は、ドアホン側無線通信インタフェース２２を通じてドアホン応答終了を検出すると、宅外電話機６に対する応答動作を終了して、玄関子機２のドアホン呼出待ちの待機状態に戻ることになる(ステップＳ２５)。
【００５１】
図４に示すドアホン呼出転送処理によれば、電話親機５の転送先管理テーブル６０内にドアホン番号に対応した転送先番号を予め記憶しておき、ドアホン親機３側で玄関子機２のドアホン呼出を検出すると、このドアホン呼出に関わるドアホン番号を付加したドアホン呼出を電話親機５に通知すると共に、電話親機５側でドアホン番号を検出すると、このドアホン番号に対応した転送先番号を転送先管理テーブル６０から読み出し、この読み出した転送先番号に基づき、玄関子機２のドアホン呼出を同転送先番号の宅外電話機６に転送するようにしたので、ドアホン親機３のユーザは、宅外電話機６を使用して、外出先からでも玄関子機２側の来訪者に応対することができる。
【００５２】
図５はドアホン親機側ドアホン呼出対応処理に関わるドアホン親機３内部の親機側制御部３１の処理動作を示すフロー図である。
【００５３】
図５に示すドアホン親機側ドアホン呼出対応処理とは、玄関子機２のドアホン呼出に応じてドアホン親機３側で対応する処理である。
【００５４】
図５において親機側制御部３１は、子機着信検知部２４を通じて玄関子機２のドアホン呼出を検出したか否かを判定する(ステップＳ３１)。
【００５５】
親機側制御部３１は、玄関子機２のドアホン呼出を検出すると、ドアホン呼出の玄関子機２に対応するドアホン番号を判別し(ステップＳ３２)、この判別したドアホン番号を付加したドアホン呼出を、ドアホン側無線通信インタフェース２２を通じて電話親機５に通知し、ドアホン側タイマ２８の応答待ちタイマ動作を開始することでドアホン呼出中の状態となる(ステップＳ３３)。尚、電話親機５側では、無線通信インタフェース４３を通じてドアホン番号を付加したドアホン呼出を検出すると、ドアホン呼出の玄関子機２を認識することになる。
【００５６】
親機側制御部３１は、ドアホン呼出中の応答待ちタイマがタイムアウトしたか否かを判定する(ステップＳ３４)。尚、応答待ちタイマのタイムアウト時間は、例えば３０秒に相当するものである。
【００５７】
親機側制御部３１は、ドアホン呼出中の応答待ちタイマがタイムアウトしたのであれば、ドアホン側無線通信インタフェース２２を通じて、ドアホン呼出中止を電話親機５に通知することでドアホン呼出終了とし(ステップＳ３５)、新たな玄関子機２のドアホン呼出を監視すべく、ステップＳ３１に移行する。
【００５８】
また、親機側制御部３１は、ステップＳ３４にてドアホン呼出中の応答待ちタイマがタイムアウトしたのでなければ、応答ボタン２５のボタン操作によるドアホン呼出応答を検出したか否かを判定する(ステップＳ３６)。
【００５９】
親機側制御部３１は、ドアホン呼出応答を検出したのでなければ、ドアホン側無線通信インタフェース２２を通じて電話親機５からドアホン呼出応答を受信したか否かを判定する(ステップＳ３７)。
【００６０】
親機側制御部３１は、電話親機５からドアホン呼出応答を受信したのであれば、電話親機５経由で玄関子機２及び宅外電話機６間の通話路を確立する電話親機応答動作を実行し(ステップＳ３８)、ドアホン側無線通信インタフェース２２を通じて電話親機５からドアホン応答終了を受信したか否かを判定する(ステップＳ３９)。
【００６１】
親機側制御部３１は、電話親機５からドアホン応答終了を受信したのであれば、玄関子機２及び宅外電話機６間の通話を切断して、新たな玄関子機２のドアホン呼出を監視すべく、ステップＳ３１に移行する。
【００６２】
親機側制御部３１は、ステップＳ３９にて電話親機５からドアホン応答終了を受信したのでなければ、玄関子機２及び宅外電話機６間の通話路を維持したまま、ステップＳ３８に移行する。
【００６３】
また、親機側制御部３１は、ステップＳ３６にて応答ボタン２５のボタン操作によるドアホン呼出応答を検出したのであれば、ドアホン親機３がドアホン呼出に応答するものと判断し、ドアホン側無線通信インタフェース２２を通じて電話親機５にドアホン呼出中止を通知する(ステップＳ４０)。
【００６４】
親機側制御部３１は、ドアホン呼出中止を電話親機５に通知すると、親機通信インタフェース２３を通じて玄関子機２と通話すべく、ドアホン親機応答動作を実行する(ステップＳ４１)。親機側制御部３１は、ドアホン親機３及び玄関子機２間の通話中に応答動作終了を検出したか否かを判定する(ステップＳ４２)。
【００６５】
親機側制御部３１は、ドアホン親機３及び玄関子機２間の通話中に応答動作終了を検出したのであれば、新たな玄関子機２のドアホン呼出を監視すべく、ステップＳ３１に移行する。また、親機側制御部３１は、ステップＳ４２にて応答動作終了を検出したのでなければ、ドアホン親機３及び玄関子機２間の通話を維持したまま、ステップＳ４１に移行する。
【００６６】
図５に示すドアホン親機側ドアホン呼出対応処理によれば、玄関子機２のドアホン呼出を検出すると、ドアホン呼出の玄関子機２に対応するドアホン番号を付加したドアホン呼出を電話親機５に通知し、ドアホン呼出応答待ち時間内に、応答ボタン２５による呼出応答を検出した場合には、玄関子機２のドアホン呼出に対してドアホン親機３側で対応することができ、ドアホン呼出応答待ち時間内に、電話親機５側からドアホン呼出応答を検出した場合には、玄関子機２のドアホン呼出に対して、電話親機５経由の宅外電話機６で対応することができる。
【００６７】
次に図５のステップＳ３３にてドアホン親機３からドアホン呼出を受信した電話親機５側の処理動作について説明する。図６は電話親機側ドアホン呼出対応処理に関わる電話親機５側の電話機側制御部５０の処理動作を示すフロー図である。
【００６８】
図６に示す電話親機側ドアホン呼出対応処理とは、ドアホン親機３からのドアホン呼出に応じて同ドアホン呼出の玄関子機２に対応する転送先の宅外電話機６にドアホン呼出を転送する処理である。
【００６９】
図６において電話機側制御部５０は、無線通信インタフェース４３を通じてドアホン親機３からドアホン呼出を受信したか否かを判定する(ステップＳ５１)。
【００７０】
電話機側制御部５０は、ドアホン親機３からドアホン呼出を受信したのであれば、ドアホン呼出の玄関子機２に対応したドアホン番号を抽出し(ステップＳ５２)、このドアホン番号に対応した転送先番号を転送先管理テーブル６０から読み出し(ステップＳ５３)、この転送先番号に基づき、呼出制御部４１Ｄを通じて、同転送先番号の宅外電話機６への呼出動作を実行することで転送先呼出中となる(ステップＳ５４)。
【００７１】
電話機側制御部５０は、無線通信インタフェース４３を通じてドアホン親機３からドアホン呼出中止を受信したか否かを判定する(ステップＳ５５)。電話機側制御部５０は、ドアホン呼出中止を受信したのでなければ、応答制御部４１Ｅを通じて、転送先の宅外電話機６の応答を検出したか否かを判定する(ステップＳ５６)。
【００７２】
電話機側制御部５０は、転送先の宅外電話機６の応答を検出したのであれば、無線通信インタフェース４３を通じてドアホン親機３に対してドアホン呼出応答を通知する(ステップＳ５７)。
【００７３】
電話機側制御部５０は、ドアホン呼出応答を通知すると、ドアホン親機３経由で宅外電話機６及び玄関子機２間の通話路を確立すべく、電話親機応答動作を実行する(ステップＳ５８)。
【００７４】
電話機側制御部５０は、宅外電話機６及び玄関子機２間の通話中に、転送先の宅外電話機６から応答終了操作を検出したか否かを判定する(ステップＳ５９)。電話機側制御部５０は、転送先の宅外電話機６から応答終了操作を検出したのであれば、無線通信インタフェース４３を通じて、ドアホン親機３に対してドアホン応答終了を通知する(ステップＳ６０)。
【００７５】
電話機側制御部５０は、ドアホン親機３に対してドアホン応答終了を通知すると、宅外電話機６及び玄関子機２間の通話を切断して待機状態に戻し、新たなドアホン呼出を監視すべく、ステップＳ５１に移行する。
【００７６】
また、電話機側制御部５０は、ステップＳ５５にてドアホン親機３からドアホン呼出中止を受信したのであれば、玄関子機２のドアホン呼出に対してドアホン親機３側で対応するものと判断し、転送先の宅外電話機６への呼出動作を中止し(ステップＳ６１)、待機状態に戻し、新たなドアホン呼出を監視すべく、ステップＳ５１に移行する。
【００７７】
図６に示す電話親機側ドアホン呼出対応処理によれば、ドアホン親機３からドアホン呼出を検出すると、このドアホン呼出からドアホン番号を抽出し、このドアホン番号に対応した転送先番号を転送先管理テーブル６０から読み出し、この読み出した転送先番号に基づき、玄関子機２のドアホン呼出を同転送先番号の宅外電話機６に転送するようにしたので、玄関子機２のドアホン呼出を宅外電話機６でも対応することができる。
【００７８】
次に電話親機５の電話機側メモリ４９の転送先管理テーブル６０に記憶中のドアホン番号に対応した転送先番号を外線からでも変更登録できる処理について説明する。図７は転送先変更登録処理に関わる電話親機５の電話機側制御部５０の処理動作を示すフロー図である。
【００７９】
図７に示す転送先変更登録処理とは、転送先管理テーブル６０に記憶中のドアホン番号に対応した転送先番号を、外線からでも変更登録できる処理である。
【００８０】
図７において電話機側制御部５０は、着信検出部４１Ａを通じて外線着信を検出したか否かを判定する(ステップＳ７１)。
【００８１】
電話機側制御部５０は、外線着信を検出したのであれば、発信者番号検出部４１Ｂを通じて外線着信の相手先から発信者番号を検出したか否かを判定する(ステップＳ７２)。
【００８２】
電話機側制御部５０は、発信者番号を検出したのであれば、この発信者番号を発信者番号メモリ４９Ａに一時記憶する(ステップＳ７３)。また、電話機側制御部５０は、ステップＳ７２にて発信者番号を検出したのでなければ、発信者番号の代わりに無効値を発信者番号メモリ４９Ａに一時記憶する(ステップＳ７４)。
【００８３】
電話機側制御部５０は、応答制御部４１Ｅを通じて外線着信に応答すると(ステップＳ７５)、暗証番号エラー回数メモリ４９Ｃ及びＰＢ信号入力バッファ４９Ｄの記憶内容をクリアする(ステップＳ７６)。
【００８４】
電話機側制御部５０は、現在リモコン状態メモリ４９Ｅに“リモコン認証”を設定し(ステップＳ７７)、暗証番号メモリ４９Ｂに記憶中の暗証番号を読み出し(ステップＳ７８)、図８に示すＭ１に移行する。
【００８５】
図８に示すＭ１において電話機側制御部５０は、図示せぬ電話親機５の電話受話器をオフフックしたか否かを判定する(ステップＳ７９)。
【００８６】
電話機側制御部５０は、電話受話器をオフフックしたのであれば、通常の電話通話動作に移行して“リモコン認証”を中止し(ステップＳ８０)、この処理動作を終了する。
【００８７】
電話機側制御部５０は、ステップＳ７９にて電話受話器をオフフックしたのでなければ、ＰＢ信号検出部４１Ｂを通じて電話回線４からのＰＢ信号入力を監視し(ステップＳ８１)、ＰＢ信号入力を検出したか否かを判定する(ステップＳ８２)。
【００８８】
電話機側制御部５０は、ＰＢ信号入力を検出すると、ＰＢ信号をＰＢ信号入力バッファ４９Ｄに順次記憶し(ステップＳ８３)、現在リモコン状態メモリ４９Ｅに設定中の状態を判別する(ステップＳ８４)。
【００８９】
電話機側制御部５０は、設定中の現在リモコン状態が“リモコン認証”であると判定されると、ＰＢ信号入力バッファ４９Ｄに記憶中のＰＢ信号桁数が所定桁数、例えば４桁に到達したか否かを判定する(ステップＳ８５)。
【００９０】
電話機側制御部５０は、ＰＢ信号桁数が所定桁数に到達したのでなければ、ＰＢ信号入力の監視を継続すべく、ステップＳ７９に移行する。
【００９１】
また、電話機側制御部５０は、ステップＳ８５にてＰＢ信号桁数が所定桁数に到達したのであれば、ＰＢ信号入力バッファ４９に記憶中のＰＢ信号に相当する暗証入力番号が暗証番号に合致したか否かを判定する(ステップＳ８６)。
【００９２】
電話機側制御部５０は、暗証入力番号が暗証番号に合致したのであれば、現在リモコン状態メモリ４９Ｅに“転送先設定”を設定更新し(ステップＳ８７)、転送先指示信号に相当するＰＢ信号入力を監視すべく、ステップＳ７９に移行する。
【００９３】
また、電話機側制御部５０は、ステップＳ８６にて暗証入力番号が暗証番号に合致したのでなければ、暗証番号エラー回数を＋１インクリメントして暗証番号エラー回数メモリ４９に設定し(ステップＳ８７Ａ)、暗証番号エラー回数メモリ４９に設定中の暗証番号エラー回数が規定回数に到達したか否かを判定する(ステップＳ８７Ｂ)。
【００９４】
電話機側制御部５０は、暗証番号エラー回数が規定回数に到達したのであれば、不正アクセスであると判断し、外線との電話を切断して(ステップＳ８８)、新たな外線着信を監視すべく、図７のＭ２に移行する。
【００９５】
また、電話機側制御部５０は、ステップＳ８７Ｂにて暗証番号エラー回数が規定回数に到達したのでなければ、再度、ＰＢ信号入力の監視を継続すべく、ステップＳ７９に移行する。
【００９６】
また、電話機側制御部５０は、ステップＳ８４にて設定中の現在リモコン状態が“転送先設定”であると判定されると、ステップＳ７２にて発信者番号を取得できたか否か、すなわち発信者番号メモリ４９Ａに発信者番号が記憶中であるか否かを判定する(ステップＳ８９)。
【００９７】
電話機側制御部５０は、発信者番号メモリ４９Ａに発信者番号を記憶中であると判定されると、ＰＢ信号入力バッファ４９Ｄに記憶中のＰＢ信号に相当する転送先指示信号に基づき、変更対象の玄関子機２のドアホン番号を判別する(ステップＳ９０)。
【００９８】
電話機側制御部５０は、転送先管理テーブル６０内の同変更対象の玄関子機２のドアホン番号に対応する転送先番号に、発信者番号メモリ４９Ａに記憶中の発信者番号を登録し(ステップＳ９１)、ステップＳ７９に移行する。
【００９９】
電話機側制御部５０は、ステップＳ８９にて発信者番号メモリ４９Ａに発信者番号が記憶中でないと判定されると、無効値であると判断し、「電話番号無効のため自動設定できません」のガイダンスを宅外電話機６に流し(ステップＳ９２)、外線との電話を切断して(ステップＳ９３)、新たな外線着信を監視すべく、図７のＭ２に移行する。
【０１００】
また、電話機側制御部５０は、ステップＳ８２にてＰＢ信号入力を検出したのでなければ、電話機側タイマ４６を通じて、ＰＢ信号入力待ち時間がタイムアウトしたか否かを判定する(ステップＳ９４)。
【０１０１】
電話機側制御部５０は、ステップＳ９４にてＰＢ信号入力待ち時間がタイムアウトしたのであれば、外線との電話を切断すべく、図中のＭ３に移行する。また、電話機側制御部５０は、ステップＳ９４にてＰＢ信号入力待ち時間がタイムアウトしたのでなければ、ＰＢ信号の検出監視を継続すべく、ステップＳ７９に移行する。
【０１０２】
図７及び図８に示す転送先変更登録処理によれば、電話親機５側で電話回線４を通じて外線着信を検出すると、同外線の発信者番号を記憶した後、同外線からのＰＢ信号で暗証入力番号を照合し、暗証入力番号が記憶中の暗証番号と合致すると、転送先管理テーブル６０に記憶中の変更対象の玄関子機２のドアホン番号に対応した転送先番号を同外線の発信者番号に変更登録するようにしたので、電話親機５のユーザは、簡単な操作で、例えば自己所有の宅外電話機６の電話番号を玄関子機２の転送先番号として登録することができる。
【０１０３】
第１の実施の形態によれば、複数の玄関子機２を収容接続するドアホン親機３と通信接続する電話親機５内に、玄関子機２毎の転送先番号を予め記憶しておき、ドアホン親機３側で玄関子機２のドアホン呼出を検知すると、この玄関子機２のドアホン番号を付したドアホン呼出を電話親機５に伝送し、この電話親機５では、同ドアホン呼出を受信すると、このドアホン呼出に関わる玄関子機２に対応した転送先番号を読み出し、この転送先番号に基づき、玄関子機２のドアホン呼出を同転送先番号の宅外電話機６に転送するようにしたので、例えば玄関口が夫々異なる二世帯住宅での複数の玄関子機２を収容接続するドアホン親機３を備えたドアホンシステムであっても、ドアホン親機３のユーザは、宅外電話機６を使用して、例えば外出先からでも玄関子機２側の来訪者に応対することができる。
【０１０４】
第１の実施の形態によれば、電話親機３が電話回線４から外線着信を検出すると、この外線着信の発信者番号を検出した後、電話回線４を通じて外線から暗証入力番号及び転送先指示信号を検出すると、暗証入力番号が記憶中の暗証番号と合致した場合にのみ、発信者番号メモリ４９Ａに記憶中の発信者番号を、転送先指示信号に対応したドアホン番号の転送先番号として転送先管理テーブル６０に記憶するようにしたので、ドアホン親機３のユーザは、例えば外出先からでも現在所有の電話機を使用して同電話機の電話番号を転送先番号として簡単に登録することができる。
【０１０５】
尚、上記第１の実施の形態においては、複数の玄関子機２を収容接続するドアホン親機３と、このドアホン親機３に通信接続する電話親機５とを有し、ドアホン番号毎に転送先番号を予め記憶した転送先管理テーブル６０を電話親機５側に備えるようにしたが、この転送先管理テーブル６０を電話親機５側ではなく、ドアホン親機３に備えるようにしても良く、この場合の実施の形態につき、第２の実施の形態として説明する。
【０１０６】
(実施の形態２)
第２の実施の形態を示すドアホンシステム１と第１の実施の形態を示すドアホンシステム１とが異なるところは、図２に示すように転送先管理テーブル６０を電話親機５の電話機側メモリ４９内に持たせるのではなく、ドアホン親機３のドアホン側メモリ３０に持たせた点にある。尚、第１の実施の形態を示すドアホンシステム１と同一の構成については同一符号を付すことで、その重複する構成及び動作の説明については省略する。
【０１０７】
図９は第２の実施の形態に関わるドアホン呼出転送処理に関わるドアホンシステム１の処理動作を示すシーケンス図である。
【０１０８】
図９に示すドアホン呼出転送処理とは、ドアホン親機３側で玄関子機２のドアホン呼出を検出すると、この玄関子機２のドアホン番号に対応した転送先番号を読み出し、ドアホン番号を付したドアホン呼出の他、この読み出した転送先番号を電話親機５に通知し、この電話親機５側で転送先番号に基づき、玄関子機２のドアホン呼出を同転送先番号の宅外電話機６に転送する処理である。
【０１０９】
図９に示すドアホン親機３の親機側制御部３１は、子機着信検知部２４を通じて玄関子機２のドアホン呼出を検知すると(ステップＳ１０１)、同玄関子機２のドアホン番号を認識し、このドアホン番号に対応した転送先番号をドアホン側メモリ３０内の転送先管理テーブル６０から読み出し(ステップＳ１０２)、ドアホン番号を付加したドアホン呼出及び転送先番号を、ドアホン側無線通信インタフェース２２を通じて電話親機５に通知する(ステップＳ１０３)。
【０１１０】
電話親機５の電話機側制御部５０は、無線通信インタフェース４３を通じてドアホン番号を付加したドアホン呼出及び転送先番号を受信すると、転送先番号を抽出し(ステップＳ１０４)、電話回線インタフェース４１内の呼出制御部４１Ｄを通じて、同転送先番号の転送先である宅外電話機６に対して呼出動作、すなわち玄関子機２のドアホン呼出の転送動作を実行する(ステップＳ１０５)。
【０１１１】
宅外電話機６は、電話回線４を通じて電話親機５の呼出動作に対して応答すると(ステップＳ１０６)、電話回線４を通じて呼出応答を電話親機５に通知する(ステップＳ１０７)。
【０１１２】
電話親機５は、応答制御部４１Ｅを通じて宅外電話機６からの呼出応答を検出すると、無線通信インタフェース４３を通じて転送先の宅外電話機６の応答を示すドアホン呼出応答をドアホン親機３に通知する(ステップＳ１０８)。
【０１１３】
ドアホン親機３は、ドアホン側無線通信インタフェース２２を通じてドアホン呼出応答を検出すると、宅外電話機６に対して応答動作を実行することで(ステップＳ１０９)、玄関子機２及び宅外電話機６間の通話を開始することになる(ステップＳ１１０)。
【０１１４】
宅外電話機６は、玄関子機２との通話中に応答終了操作を検出すると(ステップＳ１１１)、電話回線４を通じて応答終了を電話親機５に通知して(ステップＳ１１２)、待機状態に戻る(ステップＳ１１３)。
【０１１５】
さらに電話親機５は、電話回線４を通じて宅外電話機６からの応答終了を検出すると、ドアホン応答終了をドアホン親機３に通知した後(ステップＳ１１４)、待機状態に戻る(ステップＳ１１５)。
【０１１６】
ドアホン親機３は、ドアホン側無線通信インタフェース２２を通じてドアホン応答終了を検出すると、宅外電話機６に対する応答動作を終了して、玄関子機２のドアホン呼出待ちの待機状態に戻ることになる(ステップＳ１１６)。
【０１１７】
図９に示すドアホン呼出転送処理によれば、ドアホン親機３内の転送先管理テーブル６０にドアホン番号に対応した転送先番号を予め記憶しておき、ドアホン親機３で玄関子機２のドアホン呼出を検出すると、このドアホン呼出のドアホン番号に対応した転送先番号を読み出し、このドアホン番号を付加したドアホン呼出及び転送先番号を電話親機５に通知すると共に、電話親機５側でドアホン呼出及び転送先番号を受信すると、この点早期番号に基づき、玄関子機２のドアホン呼出を同転送先番号の宅外電話機６に転送するようにしたので、ドアホン親機３のユーザは、宅外電話機６を使用して、外出先からでも玄関子機２側の来訪者に応対することができる。
【０１１８】
第２の実施の形態によれば、複数の玄関子機２を収容接続するドアホン親機３に対して電話親機５を通信接続するシステムに対応し、ドアホン親機３内に、玄関子機２のドアホン番号毎の転送先番号を予め記憶しておき、玄関子機２から着信を検知すると、この玄関子機２に対応する転送先番号を読み出し、この転送先番号及びドアホン呼出を電話親機５に伝送し、電話親機５は、ドアホン呼出及び転送先番号を受信すると、この転送先番号に基づき、玄関子機２のドアホン呼出を同転送先番号の宅外電話機６に転送するようにしたので、例えば玄関口が夫々異なる二世帯住宅での複数の玄関子機２を収容接続するドアホン親機３に対して電話親機５を通信接続するシステムであっても、ドアホン親機３のユーザは、宅外電話機６を使用して、例えば外出先からでも玄関子機２側の来訪者に応対することができる。
【０１１９】
尚、上記第１の実施の形態においては、複数の玄関子機２を収容接続するドアホン親機３と、このドアホン親機３と通信接続する電話親機５とを有するドアホンシステム１について説明したが、ドアホン親機３及び電話親機５間が無線接続であることから、ドアホン親機３に対して複数台の電話親機５を無線接続することも想定できる。そこで、ドアホン親機３に対して複数台の電話親機５を無線接続したドアホンシステムを第３の実施の形態として説明する。
【０１２０】
(実施の形態３)
第３の実施の形態を示すドアホンシステム１と第１の実施の形態を示すドアホンシステム１とが異なるところは、ドアホン親機３に対して複数台の電話親機５（５Ａ，５Ｂ）を無線接続した点にある。
【０１２１】
尚、請求項記載の電話親機記憶手段はドアホン側メモリ３０に相当するものである。
【０１２２】
次に第３の実施の形態を示すドアホンシステム１の動作について説明する。図１０及び図１１は第３の実施の形態に関わるドアホン呼出転送処理に関わるドアホンシステム１の処理動作を示すシーケンス図である。
【０１２３】
図１０及び図１１に示すドアホン呼出転送処理とは、玄関子機２のドアホン呼出を検出すると、複数台の電話親機５の内、玄関子機２に対応した電話親機５経由で玄関子機２のドアホン呼出を宅外電話機６に転送する処理である。
【０１２４】
図１０に示すドアホン親機３の親機側制御部３１は、子機着信検知部２４を通じて玄関子機２のドアホン呼出を検知すると(ステップＳ１２１)、同玄関子機２のドアホン番号を認識し、このドアホン番号に対応した電話親機５Ａを抽出する(ステップＳ１２２)。尚、ドアホン親機３では、玄関子機２のドアホン番号毎に電話親機５を管理しているものとする。
【０１２５】
親機側制御部３１は、ドアホン番号に対応した電話親機５Ａを抽出すると、この電話親機５Ａに対して、ドアホン側無線通信インタフェース２２を通じて、ドアホン番号を付加したドアホン呼出を通知する(ステップＳ１２３)。
【０１２６】
電話親機５Ａの電話機側制御部５０は、無線通信インタフェース４３を通じてドアホン呼出を検出すると、このドアホン呼出に関わるドアホン番号に対応した転送先番号を転送先管理テーブル６０から読み出し(ステップＳ１２４)、電話回線インタフェース４１内の呼出制御部４１Ｄを通じて、同転送先番号の宅外電話機６Ａに対して呼出動作、すなわち玄関子機２のドアホン呼出の転送動作を実行する(ステップＳ１２５)。
【０１２７】
宅外電話機６Ａは、電話回線４を通じて電話親機５Ａの呼出動作に対して応答すると(ステップＳ１２６)、電話回線４を通じて呼出応答を電話親機５Ａに通知する(ステップＳ１２７)。
【０１２８】
電話親機５Ａは、応答制御部４１Ｅを通じて宅外電話機６Ａからの呼出応答を検出すると、無線通信インタフェース４３を通じて転送先の宅外電話機６Ａの応答を示すドアホン呼出応答をドアホン親機３に通知する(ステップＳ１２８)。
【０１２９】
ドアホン親機３は、ドアホン側無線通信インタフェース２２を通じてドアホン呼出応答を検出すると、宅外電話機６Ａに対して応答動作を実行することで(ステップＳ１２９)、玄関子機２及び宅外電話機６Ａ間の通話を開始することになる(ステップＳ１３０)。
【０１３０】
宅外電話機６Ａは、玄関子機２との通話中に応答終了操作を検出すると(ステップＳ１３１)、電話回線４を通じて応答終了を電話親機５Ａに通知して(ステップＳ１３２)、待機状態に戻る(ステップＳ１３３)。
【０１３１】
さらに電話親機５Ａは、電話回線４を通じて宅外電話機６Ａの応答終了を検出すると、ドアホン応答終了をドアホン親機３に通知した後(ステップＳ１３４)、待機状態に戻る(ステップＳ１３５)。
【０１３２】
さらにドアホン親機３は、ドアホン側無線通信インタフェース２２を通じてドアホン応答終了を検出すると、宅外電話機６Ａに対する応答動作を終了して、玄関子機２のドアホン呼出待ちの待機状態に戻ることになる(ステップＳ１３６)。
【０１３３】
また、図１１に示すドアホン親機３の親機側制御部３１は、子機着信検知部２４を通じて玄関子機２からドアホン呼出を検知すると(ステップＳ１４１)、同玄関子機２のドアホン番号を認識し、このドアホン番号に対応した電話親機５Ｂを抽出する(ステップＳ１４２)。
【０１３４】
親機側制御部３１は、ドアホン番号に対応した電話親機５Ｂを抽出すると、この電話親機５Ｂに対して、ドアホン側無線通信インタフェース２２を通じて、ドアホン番号を付加したドアホン呼出を通知する(ステップＳ１４３)。
【０１３５】
電話親機５Ｂの電話機側制御部５０は、無線通信インタフェース４３を通じてドアホン呼出を検出すると、このドアホン呼出に関わるドアホン番号に対応した転送先番号を転送先管理テーブル６０から読み出し(ステップＳ１４４)、電話回線インタフェース４１内の呼出制御部４１Ｄを通じて、同転送先番号の宅外電話機６Ｂに対して呼出動作、すなわち玄関子機２のドアホン呼出の転送動作を実行する(ステップＳ１４５)。
【０１３６】
宅外電話機６Ｂは、電話回線４を通じて電話親機５Ｂの呼出動作に対して応答すると(ステップＳ１４６)、電話回線４を通じて呼出応答を電話親機５Ｂに通知する(ステップＳ１４７)。
【０１３７】
電話親機５Ｂは、応答制御部４１Ｅを通じて宅外電話機６Ｂからの呼出応答を検出すると、無線通信インタフェース４３を通じて転送先の宅外電話機６Ｂの応答を示すドアホン呼出応答をドアホン親機３に通知する(ステップＳ１４８)。
【０１３８】
ドアホン親機３は、ドアホン側無線通信インタフェース２２を通じてドアホン呼出応答を検出すると、宅外電話機６Ｂに対して応答動作を実行することで(ステップＳ１４９)、玄関子機２及び宅外電話機６Ｂ間の通話を開始することになる(ステップＳ１５０)。
【０１３９】
宅外電話機６Ｂは、玄関子機２の通話中に応答終了操作を検出すると(ステップＳ１５１)、電話回線４を通じて応答終了を電話親機５Ｂに通知して(ステップＳ１５２)、待機状態に戻る(ステップＳ１５３)。
【０１４０】
さらに電話親機５Ｂは、電話回線４を通じて宅外電話機６Ｂの応答終了を検出すると、ドアホン応答終了をドアホン親機３に通知した後(ステップＳ１５４)、待機状態に戻る(ステップＳ１５５)。
【０１４１】
さらにドアホン親機３は、ドアホン側無線通信インタフェース２２を通じてドアホン応答終了を検出すると、宅外電話機６Ｂの応答動作を終了して、玄関子機２のドアホン呼出待ちの待機状態に戻ることになる(ステップＳ１５６)。
【０１４２】
図１０及び図１１に示すドアホン呼出転送処理によれば、ドアホン親機３側で玄関子機２のドアホン呼出を検出すると、複数の電話親機５の内、この玄関子機２のドアホン番号に対応する電話親機５に同ドアホン番号を付加したドアホン呼出を通知し、電話親機５側では同ドアホン呼出のドアホン番号を抽出し、この抽出したドアホン番号に対応する転送先番号を読み出し、この読み出した転送先番号に基づき、玄関子機２のドアホン呼出を同転送先番号の宅外電話機６に転送するようにしたので、ユーザは、玄関子機２に対応した電話親機５経由で宅外電話機６に転送することができる。
【０１４３】
第３の実施の形態によれば、複数の玄関子機２を収容接続するドアホン親機３に対して複数の電話親機５を通信接続するシステムに対応し、ドアホン親機３側に、玄関子機２のドアホン番号毎の電話親機５を予め記憶しておき、さらに電話親機５側に、ドアホン番号の転送先番号を予め記憶しておき、ドアホン親機３は、玄関子機２のドアホン呼出を検知すると、この玄関子機２に対応する電話親機５を読み出し、この読み出した電話親機５に呼出信号を出力すると共に、電話親機５は、ドアホン親機３から呼出信号を受信すると、転送先番号を読み出し、この読み出した転送先番号に基づき、この玄関子機２のドアホン呼出を同転送先番号の宅外電話機６に転送するようにしたので、例えば玄関口が夫々異なる二世帯住宅での複数の玄関子機２を収容接続するドアホン親機３に対して複数の電話親機５を通信接続するシステムであっても、ドアホン親機３のユーザは、宅外電話機６を使用して、例えば外出先からでも玄関子機２側の来訪者に応対することができる。
【０１４４】
さらに、第３の実施の形態によれば、ドアホン親機３に対して複数の電話親機５を通信接続するシステム構成にしたので、電話親機５を別々に備える必要のある、例えば二世帯住宅等のドアホンシステムに対しても柔軟に対応することが可能である。
【０１４５】
尚、上記実施の形態においては、玄関子機２のドアホン番号毎に転送先番号を記憶した転送先管理テーブル６０を使用し、玄関子機２のドアホン呼出を検出すると、このドアホン番号に対応した転送先番号を読み出し、この転送先番号に基づき、玄関子機２のドアホン呼出を転送するようにしたが、例えばドアホン親機３又は電話親機５に現在時刻を計時する時計部(計時手段)を備え、さらに時間帯毎に、ドアホン番号に対応した転送先番号を管理する時間帯別転送先管理テーブル(時間帯別記憶手段)を備えるようにして、例えばドアホン親機３側で玄関子機２のドアホン呼出を検出すると、現在時刻の時間帯に対応した、同ドアホン呼出のドアホン番号に相当する転送先番号を時間帯別転送先管理テーブルから読み出し、この読み出した転送先番号に基づき、玄関子機２のドアホン呼出を転送するようにしても良く、この場合、玄関子機２側の来訪者の来訪時刻に応じて転送先を変えることができる。
【産業上の利用可能性】
【０１４６】
本発明の電話機能付きドアホンシステムによれば、複数の玄関子機を収容接続するドアホン親機と通信接続する電話親機内に、玄関子機毎の転送先番号を予め記憶しておき、前記ドアホン親機側で玄関子機の着信を検知すると、この玄関子機の着信通知を示すドアホン呼出情報を前記電話親機に伝送し、この電話親機では、同ドアホン呼出情報を受信すると、このドアホン呼出情報に関わる前記玄関子機に対応した前記転送先番号を読み出し、この転送先番号に基づき、前記玄関子機の着信を同転送先番号の宅外電話機に転送するようにしたので、ドアホン親機のユーザは、宅外電話機を使用して、例えば外出先からでも玄関子機側の来訪者に応対することができるため、例えば玄関口が夫々異なる二世帯住宅のドアホンシステムに有用である。
【０１４７】
また、本発明の電話機能付きドアホンシステムによれば、ドアホン親機に対して複数の電話親機を通信接続するシステム構成にしたので、電話親機を別々に備える必要のある、例えば二世帯住宅等のドアホンシステムに有用である。
【図面の簡単な説明】
【０１４８】
【図１】本発明の第１の実施の形態を示すドアホンシステムに関わる玄関子機及びドアホン親機内部の概略構成を示すブロック図
【図２】第１の実施の形態に関わる電話親機内部の概略構成を示すブロック図
【図３】第１の実施の形態に関わる電話機側メモリの転送先管理テーブルのテーブル内容を端的に示す説明図
【図４】第１の実施の形態のドアホン呼出転送処理に関わるドアホンシステムの処理動作を示すシーケンス図
【図５】第１の実施の形態のドアホン親機側ドアホン呼出対応処理に関わるドアホン親機の親機側制御部の処理動作を示すフロー図
【図６】第１の実施の形態の電話機側ドアホン呼出対応処理に関わる電話親機の電話機側制御部の処理動作を示すフロー図
【図７】第１の実施の形態の転送先変更登録処理に関わる電話親機の電話機側制御部の処理動作を示すフロー図
【図８】第１の実施の形態の転送先変更登録処理に関わる電話親機の電話機側制御部の処理動作を示すフロー図
【図９】第２の実施の形態のドアホン呼出転送処理に関わるドアホンシステムの処理動作を示すシーケンス図
【図１０】第３の実施の形態のドアホン呼出転送処理に関わるドアホンシステムの処理動作を示すシーケンス図
【図１１】第３の実施の形態のドアホン呼出転送処理に関わるドアホンシステムの処理動作を示すシーケンス図
【符号の説明】
【０１４９】
１  ドアホンシステム(電話機能付きドアホンシステム)
２  玄関子機
３  ドアホン親機
４  電話回線
５  電話親機
２２  ドアホン側無線通信インタフェース(ドアホン通信手段)
２４  子機着信検知部（着信検知手段）
３０  ドアホン側メモリ(電話親機記憶手段)
４１Ａ  着信検出部(電話着信検出手段)
４１Ｂ  ＰＢ信号検出部（ＰＢ信号検出手段）
４１Ｃ  発信者番号検出部(発信者番号検出手段)
４１Ｄ  呼出制御部(電話転送手段)
４３  無線通信インタフェース（電話通信手段）
４９Ｂ  暗証番号メモリ(暗証番号記憶手段)
５０  電話機側制御部（電話転送手段及び電話制御手段）
６０  転送先管理テーブル(転送先番号記憶手段)
【図１】
2007158921.tif 000003
【図２】
2007158921.tif 000004
【図３】
2007158921.tif 000005
【図４】
2007158921.tif 000006
【図５】
2007158921.tif 000007
【図６】
2007158921.tif 000008
【図７】
2007158921.tif 000009
【図８】
2007158921.tif 000010
【図９】
2007158921.tif 000011
【図１０】
2007158921.tif 000012
【図１１】
2007158921.tif 000013